(57)【特許請求の範囲】
【請求項１】
爪表面に形成された人工爪が、静電容量方式のタッチパネルが動作する程度の導電性を爪先に付与可能となる量の導電性材料を有し、
前記爪表面に形成された人工爪の抵抗値が、２．１０×１０２Ω以下であることを特徴とするスカルプチュア材料。
【請求項２】
爪表面にスカルプチュア材料を配置して硬化させることにより人工爪を製造する人工爪の製造方法であって、
前記スカルプチュア材料が、爪表面に形成された人工爪が、静電容量方式のタッチパネルが動作する程度の導電性を爪先に付与可能となる量の導電性材料を有し、
前記爪表面に形成された人工爪の抵抗値が、２．１０×１０２Ω以下であることを特徴とする人工爪の製造方法。
【発明の詳細な説明】
【技術分野】
【０００１】
本発明は、爪の表面に形成することで爪先による静電容量方式のタッチパネル操作が可能なスカルプチュア材料に関するものである。
【背景技術】
【０００２】
マニキュアは爪の装飾を目的とした化粧品として、女性の間で広く用いられている。マニキュアは、爪の表面に色や艶を持たせ、華やかに装飾することを目的としたものであり、爪表面に美粧的効果を付与することができるものである。
現在では、マニキュアの特徴である爪表面への美粧的効果に加え、爪の長さを自在に調整し、より厚みのある美しい形の爪にする方法として、人工爪を自爪に接着剤等を用いて装着する方法が知られている。人工爪は、自爪の上に装着して、さらにその上から装飾を施すため、自爪に直接マニキュア液を塗布して装飾する場合等に比べて、爪への負担を軽減することができ、さらに作業時間を短縮することができる。なお、この場合に用いられる人工爪は、通常ネイルチップと呼ばれる。
しかしながら、現在では、より自爪と密着し、自然な外観を有した人工爪が求められており、その方法として、スカルプチュアが知られている（特許文献１〜３参照）。
スカルプチュアとは、人工爪の一種であり、アクリル樹脂等を直接自爪の表面に塗布して所望の形状となるように成形した後、硬化させたものである。スカルプチュアは、従来の人工爪とは異なり、接着剤を介することなく自爪に装着することが可能であり、直接自爪の表面で個々の爪の形状に合った人工爪を形成することができるため、自爪との密着性が高く、より自然な外観を得ることができる。このようなスカルプチュアは、上述した効果に加え、一度装着したら約３週間程度保つことができるという点から、多くの女性の間で用いられている。
【０００３】
ところで、近年、我々が身近に使用している携帯電話やスマートフォン、銀行や金融機関のＡＴＭ、自動販売機（自動券売機）等には、画面の触れることで操作できるタッチパネルが用いられている。タッチパネルは、電圧や超音波、光等を検出することで動作するものであり、その原理は様々である。具体的には、抵抗膜方式、静電容量方式、超音波方式、光学方式、電磁誘導方式等のタッチパネルがある。このうち、静電容量方式のタッチパネルは、画面に触れることで生じるタッチパネル表面の電荷の容量変化を検知して位置を認識し、動作するものである。
【０００４】
静電容量方式のタッチパネルには、表面型と投影型との２種類の検出方式があり、それぞれ構造が異なる。
以下、図を参照しながら説明する。
【０００５】
図１は、一般的な投影型静電容量方式のタッチパネルの一例を示す概略斜視図である。
投影型静電容量方式のタッチパネル１は、透明基板２と、上記透明基板２上に配置された透明電極層３を有しており、上記透明電極層３上には保護カバー４を有している。また、投影型静電容量方式のタッチパネル１を構成する上記透明電極層３は、第１の透明電極層３１および第２の透明電極層３２から構成される。
【０００６】
図２は、一般的な投影型静電容量方式のタッチパネルを構成する透明電極層の一例を示す概略平面図である。上記透明電極層３は、上述したように上記第１の透明電極層３１および上記第２の透明電極層３２からなるものであり、上記第１の透明電極層３１にはＸ方向の座標を検出するための透明電極３１ＸがＸ方向に複数分離されて形成されており、一方、上記第２の透明電極層３２にはＹ方向の座標を検出するための透明電極３２ＹがＹ方向に複数分離されて形成される。各透明電極を複数分離して形成するのは、位置検出の精度を高めるためである。なお、図２に示す各透明電極は菱形電極であるが、その他にも田形電極等がある。
また、Ｘ方向またはＹ方向に形成された上記透明電極３１Ｘおよび上記透明電極３２Ｙは、それぞれＸ座標検出用導電部５ＸおよびＹ座標検出用導電部５Ｙに接続され、上記Ｘ座標検出用導電部５ＸおよびＹ座標検出用導電部５Ｙは、図示はしないが、スイッチング回路や検出回路等に接続される。上記Ｘ座標検出用導電部５ＸおよびＹ座標検出用導電部５Ｙは、それぞれ上記透明電極３１Ｘと上記透明電極３２Ｙとに所定の電圧を印加するための電極として機能し、スイッチング回路の切り替えにより透明電極３１Ｘと透明電極３２Ｙのいずれか一方に選択的に電圧を印加することができる。
【０００７】
図３は、投影型静電容量方式のタッチパネルの動作原理の一例を示す概略図である。
上述したように、電圧が印加された透明電極層３の表面には電界が形成され、この状態で指１０が投影型静電容量方式のタッチパネルに近づくと、指１００と透明電極との間の静電容量が増加する。Ｘ座標用導電部およびＹ座標用導電部のどの位置の静電容量が増加しているのかを検出することで、接触位置の座標を求めることができる。
【０００８】
上記投影型静電容量方式のタッチパネルは、その検出方式から多点検知が可能である。そのため、現在では幅広い分野で用いられている。
【０００９】
次に、図４は、一般的な表面型静電容量方式のタッチパネルの一例を示す概略斜視図である。表面型静電容量方式のタッチパネル１は、透明基板２と、上記透明基板２上に配置された透明導電膜６と、上記透明導電膜６上に配置された保護カバー４を有するものである。
【００１０】
図５は、一般的な表面型静電容量方式のタッチパネルを構成する透明導電膜の一例を示す概略断面図である。上記透明導電膜６は、四隅に電極６１があり、これらの電極によって上記透明導電膜６の表面には電界が形成されている。
【００１１】
図６は、表面型静電容量方式のタッチパネルの動作原理の一例を示す概略図である。
図６に示すように、指１００が表面型静電容量方式のタッチパネル１に接触すると、四隅の電極から指１００を通じて微弱な電流が流れる。このとき、指１００が触れた位置に近い電極ほど電流量が増加するため、四隅から流れた電流量の比率を算出することで、指１００が触れた位置を検出することができる。
なお、説明していない符号については、図４と同様とすることができるので省略する。
【００１２】
このように、静電容量方式のタッチパネルは、画面を押し込むことで動作する抵抗膜方式のタッチパネルとは異なり、容量の変化等によって動作するので、画面に接近、もしくは接触するだけで軽快に動作することができる。その結果、画面をなぞってページ送りする操作、また画面を叩いてキー入力する操作が可能となり、現在、静電容量方式のタッチパネルは携帯電話やスマートフォン、携帯情報端末等に採用されている。また、上記静電容量方式のタッチパネルは、抵抗膜方式に比べて透過率が高いため画面がクリアである。さらに、静電容量方式のタッチパネルは、表面にガラス等の保護カバーを設けることができるので、傷に強く、耐久性や耐環境性に優れている。
【００１３】
しかしながら、爪の装飾および補強を目的としてスカルプチュアを施す女性が急増している中、指でタッチパネルに接近、もしくは接触することが困難となり、静電容量方式のタッチパネルを操作できないといった問題があった。静電容量方式のタッチパネルが指以外に反応しないのは、静電容量方式のタッチパネルは、人体をグラウンドと仮定し、指が静電容量方式のタッチパネルに近づくと、その領域に対応する透明電極または透明導電膜表面の静電容量が変化し、その静電容量の変化によって指が接近、もしくは接触した位置を検出して動作しているからである。すなわち、静電容量方式のタッチパネルを操作できるのは、指または指と同等の静電的な導電性を有するものである。
【００１４】
このような問題を解決する方法として、指の代わりに専用のスタイラスペン等の道具を用いて操作する方法があるが（特許文献４参照）、携帯電話やスマートフォン、携帯情報端末等と共にスタイラスペンを持ち歩く必要があり、また、片手での操作が困難であるといった問題がある。そのため、さらなる解決方法が求められている。
【００１５】
以上のように、スカルプチュアを爪表面に形成し、携帯電話やスマートフォン、携帯情報端末等に搭載されている静電容量方式のタッチパネルを指で操作するのが困難な場合でも、静電容量方式のタッチパネルを専用の道具を使わずに容易に操作できる方法の開発が求められている。
【００１６】
さらに現在では、小型化された静電容量方式のタッチパネルが多く、それに伴い入力ボタン等が小さい場合が多い。そのため、指による入力の際に誤入力や誤操作等の問題もあり、爪先によって正確に操作できる方法の開発が求められている。
【先行技術文献】
【特許文献】
【００１７】
【特許文献１】特許第４５６５４１９号公報
【特許文献２】特開昭５５−１０８３０９号公報
【特許文献３】特開２００９−０５６０７７号公報
【特許文献４】特開２０１０−３２７９号公報
【発明の概要】
【発明が解決しようとする課題】
【００１８】
本発明は上記問題点に鑑みてなされたものであり、爪の表面に形成することで、静電容量方式のタッチパネルを爪先で操作することが可能なスカルプチュア材料を提供することを主目的とする。
【課題を解決するための手段】
【００１９】
本発明は、爪表面に形成された人工爪が、静電容量方式のタッチパネルが動作する程度の導電性を爪先に付与可能となる量の導電性材料を有することを特徴とするスカルプチュア材料を提供する。
【００２０】
本発明によれば、スカルプチュア材料が導電性材料を有することにより、上記スカルプチュア材料を用いて形成した人工爪（以下、単に導電性人工爪と称して説明する場合がある。）の爪先が静電容量方式のタッチパネルに接近、もしくは接触すると、指が接近、もしくは接触した時と同様に、静電容量方式のタッチパネルと上記導電性人工爪との間で静電容量が増加する。つまり、上記静電容量方式のタッチパネルにおいて、導電性人工爪の爪先が接近、もしくは接触した領域に対応する電極の容量が変化する。その容量の変化によって上記静電容量方式のタッチパネルは、導電性人工爪の爪先が接近、もしくは接触した領域を認識することができ、指が接近、もしくは接触した時と同様の動作をすることが可能となる。
また、従来、小型化された静電容量方式のタッチパネルでは、入力ボタン等も小さくなるため、指での操作が困難であり、スタイラスペン等の専用のペンを用いることが求められる。しかし、本発明のスカルプチュア材料を用いて爪表面に導電性人工爪を形成することにより、上記導電性人工爪の爪先での操作が可能となるため、小型化された静電容量方式のタッチパネルの入力ボタンを誤操作なくタッチでき、その結果、容易かつ正確な入力操作が可能となる。
【発明の効果】
【００２１】
本発明においては、爪表面に施すことで静電容量方式のタッチパネルを爪先で操作することが可能となるスカルプチュア材料を提供することができる。
【図面の簡単な説明】
【００２２】
【図１】一般的な投影型静電容量方式のタッチパネルの一例を示す概略斜視図である。
【図２】一般的な投影型静電容量方式のタッチパネルを構成する透明電極層の一例を示す概略平面図である。
【図３】一般的な投影型静電容量方式のタッチパネルの動作原理の一例を示す概略図である。
【図４】一般的な表面型静電容量方式のタッチパネルの一例を示す概略斜視図である。
【図５】一般的な表面型静電容量方式のタッチパネルを構成する透明電極層の一例を示す概略平面図である。
【図６】一般的な表面型静電容量方式のタッチパネルの動作原理の一例を示す概略図である。
【図７】本発明のスカルプチュア材料を用いて人工爪を形成する方法の一例を示す概略工程図である。
【図８】本発明のスカルプチュア材料を用いて人工爪を形成する方法の他の例を示す概略工程図である。
【図９】本発明のスカルプチュア材料を用いて形成された人工爪の一例を示す概略図である。
【図１０】本発明のスカルプチュア材料を用いて形成された人工爪の他の例を示す概略断面図である。
【図１１】本発明のスカルプチュア材料を用いて形成された人工爪の他の例を示す概略図である。
【図１２】実施例の評価結果を示すグラフである。
【発明を実施するための形態】
【００２３】
Ｉ．スカルプチュア材料
本発明のスカルプチュア材料は、爪表面に形成された人工爪が、静電容量方式のタッチパネルが動作する程度の導電性を爪先に付与可能となる量の導電性材料を有することを特徴とするものである。
【００２４】
一般的なスカルプチュア材料は、自爪の表面に樹脂等を塗布して所望の形状へと成形し、その後硬化させて用いるものである。このようなスカルプチュア材料は、通常、透明性を有するものであり、上記スカルプチュア材料を用いて形成された人工爪の表面に鮮やかな色調やデザインを描くことで爪表面に美粧的効果を付与することができる。また、爪の長さを伸ばしたり、あるいは爪に厚みを持たせたりと、美しい形状へと成形することができる。
以下、本発明のスカルプチュア材料を用いて導電性人工爪を形成する方法について、図を参照しながら説明する。
【００２５】
図７は、本発明のスカルプチュア材料を用いて導電性人工爪を形成する方法の一例を示す概略工程図である。まず図７（ａ）に示す爪７の表面に、図７（ｂ）に示すようにネイルファーム９と呼ばれる型紙を設置する。次に、図７（ｃ）に示すように、樹脂を含むスカルプチュア材料１０を、爪７の表面に上記ネイルファーム９に沿って所望の形状になるように塗布して成形する。この際、爪の長さや厚みは好みによって適宜調整される。その後、塗布されたスカルプチュア材料１０は、図７（ｄ）に示すように硬化され、導電性を有する人工爪２０となる。
【００２６】
図８は、本発明のスカルプチュア材料を用いて導電性人工爪を形成する方法の他の例を示す概略工程図である。
図８に示すように、図８（ａ）に示す爪７の表面に、本発明のスカルプチュア材料１０を塗布する際、まず、図８（ｂ）に示すようにネイルチップ１１を爪７の先端に所望の長さ、形状となるように配置して、その後、図８（ｃ）に示すように、上記爪７の表面および上記ネイルチップ１１の表面を覆うようにスカルプチュア材料１０を塗布し、塗布されたスカルプチュア材料１０は、図８（ｄ）に示すように硬化され、導電性人工爪２０となる。
なお、ここでのネイルチップは、アクリル系樹脂やウレタン系樹脂等からなる一般的なものを用いることができる。
【００２７】
さらに、図８に示すようにネイルチップ１１を爪先に装着し、その表面を覆うように本発明のスカルプチュア材料１０を塗布する場合において、上記ネイルチップ１１が本発明のスカルプチュア材料１０と同等の導電性を有していてもよい。上記ネイルチップが導電性を有していることにより、静電容量方式のタッチパネル表面に上記ネイルチップが接近、もしくは接触することで、指が接近、もしくは接触した時と同様に、上記静電容量方式のタッチパネルをネイルチップの爪先で操作することができるからである。
【００２８】
本発明のスカルプチュア材料を用いる工程は、図７および図８を参照しながら説明した工程以外にも、必要に応じて他の工程を含んでいてもよい。例えば、爪表面と上記爪表面に形成された導電性人工爪との密着性を向上させるために、爪表面にファイルと呼ばれる爪やすり等で凹凸構造を形成する工程や、スカルプチュア材料を硬化した後に形を整えるために切削する工程、またはパールやラメ等を塗布して装飾を施す工程等を挙げることができる。
また、図７および図８に示す工程を数回繰り返して、厚みがある導電性人工爪を形成してもよい。
【００２９】
また、図７（ｄ）および図８（ｄ）に示すスカルプチュア材料１０の硬化方法としては、一般的には、重合反応による硬化または紫外線照射による硬化が挙げられる。
重合反応によって硬化するスカルプチュアはアクリリックネイルと呼ばれており、一方、紫外線照射により硬化するスカルプチュアはジェルネイルと呼ばれている。
重合反応によって硬化するアクリリックネイルは、常温において時間の経過と共に硬化する。このようなアクリリックネイルは硬度が高いため、爪に長さをもたせるのに適したものである。
紫外線照射により硬化するジェルネイルは、紫外線を照射することにより硬化するため、所望の形状となるまで成形作業を行うことができる。このようなジェルネイルは、比較的硬度が低いため、爪に厚みをもたせて爪を補強する目的で用いられることが多い。また、ジェルネイルは、製造メーカーの違いによって、バイオジェルやカルジェル等と呼ばれることもある。
なお、本発明におけるスカルプチュアは、上記アクリリックネイルやジェルネイル等を包含するものである。
【００３０】
ところで、従来、爪表面にスカルプチュア材料を用いて人工爪を形成することによって、静電容量方式のタッチパネルを指で接近、もしくは接触することが困難であり、かつ上記静電容量方式のタッチパネルを爪先で操作することが困難であるといった問題があった。
【００３１】
本発明によれば、導電性人工爪が導電性材料を有することにより、上記導電性人工爪の爪先が上記静電容量方式のタッチパネルに接近、もしくは接触すると、指が接近、もしくは接触した時と同様に、静電容量方式のタッチパネルと上記導電性人工爪との間で静電容量が増加する。つまり、上記静電容量方式のタッチパネルにおいて、上記導電性人工爪が接近、もしくは接触した領域に対応する透明電極または透明導電膜表面の静電容量が変化し、その静電容量の変化によって爪先が接近、もしくは接触した領域を認識することができる。このように、本発明における導電性人工爪を装着することで、指が接近、もしくは接触した時と同様に、上記静電容量方式のタッチパネルを爪先で操作することが可能となる。
これにより、従来、爪の装飾および補強を目的とした人工爪を施している場合において、静電容量方式のタッチパネル操作が困難であるといった問題が解消される。また、静電容量方式のタッチパネルを操作するためのスタイラスペン等の専用の道具を常備する必要もない。さらに、スタイラスペン等の専用の道具を必要としないことから、携帯電話やスマートフォン等に搭載された静電容量方式のタッチパネルの操作にあたっては、片手での操作が可能となる。
【００３２】
また、従来、小型化された静電容量方式のタッチパネルでは、入力ボタン等も小さいため、指での操作が困難であり、スタイラスペン等の専用のペンを用いることが求められる。しかし、本発明のスカルプチュア材料を用いて爪表面に導電性人工爪を形成することで、静電容量方式のタッチパネルを爪先で操作することが可能となるため、小型化された静電容量方式のタッチパネルの入力ボタンを誤操作なくタッチでき、その結果、容易かつ正確な入力操作が可能となる。
【００３３】
このような本発明のスカルプチュア材料としては、所定の量の導電性材料を有するものであれば特に限定されるものではなく、一般的なスカルプチュア材料の構成成分を用いることができる。
以下、本発明に用いられる導電性材料およびスカルプチュア材料の構成成分について説明する。
【００３４】
Ａ．導電性材料
本発明における導電性材料としては、スカルプチュア材料に含有させることで、上記スカルプチュア材料を用いて爪表面に形成された人工爪の爪先に、静電容量方式のタッチパネルが動作する程度の導電性を付与することが可能であれば特に限定されるものではない。
【００３５】
本発明における導電性材料は、一般的なスカルプチュア材料の構成成分としてスカルプチュア材料に含有されていてもよいし、あるいは導電性付与のためのみの添加剤としてスカルプチュア材料に含有されていてもよい。本発明においては、導電性材料が、スカルプチュア材料の構成成分としてスカルプチュア材料に含有されていることが好ましい。
【００３６】
本発明において、静電容量方式のタッチパネルを操作することができる程度の導電性は、静電容量方式のタッチパネルの種類や大きさ等によって異なるものであるが、具体的には、本発明のスカルプチュア材料を用いて爪表面に形成された導電性人工爪の抵抗値としては、例えば、２．１０×１０２Ω以下であることが好ましい。
【００３７】
なお、上記抵抗値は、４端子測定方式ＬＣＲメータ  ロレスタＧＰ  ＭＣＰ−Ｔ６1０型（株式会社 三菱化学アナリテック）を用いて測定した値である。
【００３８】
このような導電性材料の形態としては、スカルプチュア材料に添加することによって所望の導電性を付与することが可能であれば特に限定されるものではなく、例えば、粉末状、液状、ジェル状、繊維状等の形態の導電性材料が挙げられる。
具体的な導電性材料としては、例えば、導電性顔料、導電性染料が挙げられる。
【００３９】
また、粉末状の導電性材料としては、例えば、スズ系酸化物、スズ−アンチモン系酸化物、酸化チタン／スズ−アンチモン系酸化物、インジウム−スズ系酸化物等が挙げられる。また、Ａｌ、Ａｇ、Ａｕ、Ｃｕ、Ｆｅ、Ｍｎ、Ｍｏ、Ｎｉ、Ｐｄ、Ｐｔ、Ｓｎ、Ｗ、亜鉛等の金属を用いることも可能である。上記金属粉末をスカルプチュアに用いた場合には、スカルプチュアに導電性を付与するとともに、スカルプチュアを着色し、ラメを加えたような光沢感を与えることができる。
【００４０】
液状の導電性材料としては、例えば、スズ−アンチモン系酸化物塗料／分散液、インジウム−スズ系酸化物塗料／分散液等が挙げられる。
【００４１】
ジェル状の導電性材料としては、例えば、ポリアセチレン、ｐ−フェニレンビニレン、ポリピロール、ポリチオフェン、ポリアニリン、ＰＶＣ系ポリマーとブタジエン（ＢＤ）−アクリロニトリル（ＡＮ）系コポリマー混合物、グラフトコポリマー、ＢＤ−ＡＮ−塩化ビニルターポリマー、ＰＶＣ−ポリウレタングラフトコポリマー、スチレン−ジエン−ピロール系ターポリマー等の導電性ポリマー、ポリアセチレン誘導体、ポリピロール誘導体、ポリチオフェン誘導体、ポリアニリン誘導体、メタクリル樹脂等が挙げられる。
【００４２】
繊維状の導電性材料としては、例えば、ポリアミド系熱可塑性重合体からなる導電ポリマー層と繊維形成性熱可塑性重合体からなる保護ポリマーとを有する白色系導電繊維を挙げることができる。
上述した他にも、コロイドや微細粒子等の形態の導電性材料を用いることも可能である。
【００４３】
また、上述したように、材料自体が導電性を有している導電性材料の他にも、非導電性材料に導電性付与物質を添加してなる導電性材料等が挙げられる。
非導電性材料としては、例えば、ポリオレフィン、ポリアミド、ポリイミド、フェノール樹脂、エポキシ樹脂、ポリウレタン等の一般的なポリマーが挙げられる。
導電性付与体としては、Ａｌ、Ａｇ、Ａｕ、Ｃｕ、Ｆｅ、Ｍｎ、Ｍｏ、Ｎｉ、Ｐｄ、Ｐｔ、Ｓｎ、Ｗ、亜鉛等の金属粉末や、これらの金属を組み合わせた合金、ＩＴＯ、ＺｎＯ、ＳｎＯ２等の金属酸化物、ステンレス等の金属繊維またはウェイスカー等の金属分散系が挙げられる。また、アセチレンブラック、オイルファーネスブラック、サーマルブラック等のカーボンブラックや、ＰＡＮ系、ピッチ系等の炭素の炭素繊維や、天然物、人工物等の黒鉛系分散剤等が挙げられる。さらに、ガラスビーズや合成繊維等が挙げられる。
【００４４】
このように、本発明に用いられる導電性材料としては、スカルプチュア材料を用いて形成された人工爪に所望の導電性を付与することが可能であれば特に限定されるものではなく、例えば、一般的なスカルプチュア材料の構成成分である皮膜形成成分として用いることができるものであってもよい。
また、上記導電性材料としては、導電性を有する金属粉末、顔料、染料、高分子材料を適宜選択し、必要に応じて複数を組み合わせて用いることもできる。
【００４５】
上記導電性材料が有する色調としては、本発明のスカルプチュア材料の色調やその用途等によって適宜選択されるものであり特に限定されない。導電性材料の色調としては、例えば、透明、白色等の淡色、黄色、茶色、青色等が挙げられる。
【００４６】
上記導電性材料の添加量としては、上記スカルプチュア材料に所望の導電性を付与することが可能であれば特に限定されるものではないが、添加量が少なすぎると上記スカルプチュア材料を用いて形成された人工爪の爪先で、静電容量方式のタッチパネルを操作することが困難となる場合があり、また、金属粉末等の有色の導電性材料の添加量が多すぎると、人工爪としての見栄えが悪くなり、装飾機能が低下する場合がある。
【００４７】
Ｂ．スカルプチュア材料の構成成分
本発明に用いられるスカルプチュア材料の構成成分としては、上記導電性材料を添加することで所望の導電性を示すスカルプチュア材料とすることができれば特に限定されるものではなく、一般的に用いられるスカルプチュア材料の構成成分を用いることができる。
ここで、一般的に用いられるスカルプチュア材料の構成成分としては、例えば、重合反応により硬化するアクリリックネイルに用いられるアクリリックネイル材料の構成成分や、紫外線照射により硬化するジェルネイルに用いられるジェルネイル材料の構成成分等が挙げられる。上記アクリリックネイル材料の構成成分、およびジェルネイル材料の構成成分としては、用いられる成分がそれぞれ異なる。
以下、本発明に用いられるスカルプチュア材料の構成成分の具体例として、アクリリックネイル材料の構成成分、およびジェルネイル材料の構成成分について説明する。
【００４８】
１．アクリリックネイル材料の構成成分
本発明に用いられるアクリリックネイル材料の構成成分としては、一般的に用いられるものであれば特に限定されないが、例えば、液状組成物および粉末状組成物を有するものが挙げられる。
上記液状組成物および粉末状組成物を有するものとしては、具体的には、メタアクリル酸メチル単量体、および重合促進剤として少量の第３級アミンを有する液状組成物と、ポリメタアクリル酸メチルの粉末ポリマー、および触媒として過酸化ベンゾイルを有する粉末状組成物とを有するアクリリックネイル材料や、より高品質なものとして、モノ（メタ）アクリレート、重合性ポリ（メタ）アクリレート、および有機ハイドロパーオキサイドの３成分からなる液状組成物と、ビーズ状ポリマー粉末、チオ尿素及び／又はチオ尿素誘導体、および有機バナジウム化合物の３成分からなる粉末状組成物を有するアクリリックネイル材料等が挙げられる。
なお、上述した以外にも、エチレン性不飽和単量体と光重合開始剤と微細無機粉体とを有するアクリリックネイル材料等が挙げられる。
【００４９】
以下、具体例として、上記モノ（メタ）アクリレート、重合性ポリ（メタ）アクリレート、および有機ハイドロパーオキサイドの３成分からなる液状組成物と、ビーズ状ポリマー粉末、チオ尿素及び／又はチオ尿素誘導体、および有機バナジウム化合物の３成分からなる粉末状組成物とについてそれぞれ説明する。
【００５０】
（１）液状組成物
本発明のアクリリックネイル材料を構成する液状組成物としては、モノ（メタ）アクリレートと、重合性ポリ（メタ）アクリレートと、有機ハイドロパーオキサイドとの３成分を有するものであれば特に限定されるものではない。
以下、モノ（メタ）アクリレートと、重合性ポリ（メタ）アクリレートと、有機ハイドロパーオキサイドとに分けて説明する。
【００５１】
（ａ）モノ（メタ）アクリレート
液状組成物を構成するモノ（メタ）アクリレートは、人工爪としての機械的強度を付与する成分である。
【００５２】
本発明に用いられるモノ（メタ）アクリレートとしては、例えば、エチルメタクリレート、ｎ−ブチルメタクリレート、２−ヒドロキシエチルメタクリレート、２−ヒドロキシプロピルメタクリレート、テトラヒドロフルフリルメタクリレート、シクロヘキシルメタクリレート、アセチルオキシエチルメタクリレート、テトラヒドロフルフリルアクリレート等が挙げられる。
【００５３】
このようなモノ（メタ）アクリレートの液状組成物における含有量としては、例えば、４０重量％〜９５重量％の範囲内であることが好ましい。上記範囲よりも少ない場合には、相対的に後述する重合性ポリ（メタ）アクリレートが多くなり、組成物が脆くなる可能性があるからである。一方、上記範囲よりも多い場合には、相対的に後述する重合性ポリ（メタ）アクリレートが少なくなり、機械的強度が低下する可能性があるからである。
【００５４】
（ｂ）重合性ポリ（メタ）アクリレート
液状組成物を構成する重合性ポリ（メタ）アクリレートは、上述したモノ（メタ）アクリレートと共重合する成分であり、架橋性を有するものである。
【００５５】
本発明に用いられる重合性ポリ（メタ）アクリレートとしては、例えば、ネオペンチルグリコール、ジエチレングリコール、トリエチレングリコール、１，３−ブタンジオール、１，６−ヘキサンジオール、トリメチロールプロパン、ビスフェノールＡジオキシエチルエーテル、ビスフェノールＡジオキシポリエチレングリコールエーテル等のポリオールと、（メタ）アクリル酸とのエステル等が挙げられる。
【００５６】
このような重合性ポリ（メタ）アクリレートの液状組成物における含有量としては、例えば、５重量％〜６０重量％の範囲内であることが好ましい。上記範囲より少ない場合には、相対的に上述したモノ（メタ）アクリレートが多くなり、機械的強度が低下する可能性があるからである。一方、上記範囲よりも多い場合には、相対的に上述したモノ（メタ）アクリレートが少なくなり、組成物が脆くなる可能性があるからである。
【００５７】
（ｃ）有機ハイドロパーオキサイド
液状組成物を構成する有機ハイドロパーオキサイドは、上記モノ（メタ）アクリレートと、上記重合性ポリ（メタ）アクリレートとが共重合する際の重合触媒である。
【００５８】
本発明に用いられる有機ハイドロパーオキサイドとしては、例えば、クメンハイドロパーオキサイド、ターシャリーブチルハイドロパーオキサイド、ｐ−メンタンハイドロパーオキサイド等が挙げられる。
【００５９】
このような有機ハイドロパーオキサイドの含有量としては、上記モノ（メタ）アクリレートと、上記重合性ポリ（メタ）アクリレートとの合計量に対し、例えば、０．１重量％〜５．０重量％の範囲内であることが好ましい。
【００６０】
（ｄ）その他の成分
アクリリックネイル材料を構成する液状組成物としては、上述した３成分の他にも必要に応じて、染料、酸化防止剤、重合防止剤、紫外線防止剤等を添加することができる。
【００６１】
（２）粉末状組成物
本発明のアクリリックネイル材料を構成する粉末状組成物としては、ビーズ状ポリマー粉末と、チオ尿素及び／又はチオ尿素誘導体と、有機バナジウム化合物との３成分を有するものであれば特に限定されるものではない。
以下、ビーズ状ポリマー粉末と、チオ尿素及び／又はチオ尿素誘導体と、有機バナジウム化合物とに分けて説明する。
【００６２】
（ａ）ビーズ状ポリマー粉末
粉末状組成物を構成するビーズ状ポリマー粉末は、上述した液状組成物および粉末状組成物を混合した際に、硬化前のアクリリックネイル材料が高粘度になることを防ぐ効果を有するものである。硬化前のアクリリックネイル材料が高粘度であることにより、所望の形状となるように成形することが困難となる場合があるからである。
【００６３】
本発明に用いられるビーズ状ポリマー粉末としては、作業性および平滑性の観点から、上述した液状組成物にある程度溶解するものであることが好ましい。ビーズ状ポリマー粉末が上記液状組成物に溶解しすぎると高粘度となり、溶解性が低い場合には粘性が得られなくなってしまうからである。このようなビーズ状ポリマー粉末としては、例えば、メチルメタクリレート、エチルメタクリレート、ｎ−ブチルメタクリレート、酢酸ビニール等の単独及び／又は共重合ポリマーが挙げられる。
【００６４】
（ｂ）チオ尿素及び／又はチオ尿素誘導体
粉末状組成物を構成するチオ尿素及び／又はチオ尿素誘導体は、重合促進剤として用いるものである。
【００６５】
本発明に用いられるチオ尿素及び／又はチオ尿素誘導体としては、１−アセチル−２−チオ尿素、テトラメチルチオ尿素、トリメチルチオ尿素、１−ベンゾイル−２−チオ尿素、１−フェニル−２−チオ尿素、１，１−ジフェニル−２−チオ尿素等が挙げられる。
【００６６】
このようなチオ尿素及び／又はチオ尿素誘導体の含有量としては、上述したビーズ状ポリマー粉末に対し、例えば、０．０１重量％〜２．０重量％の範囲内であることが好ましい。
【００６７】
（ｃ）有機バナジウム化合物
粉末状組成物を構成する有機バナジウム化合物は、重合促進剤として用いられるものである。
【００６８】
本発明に用いられる有機バナジウム化合物としては、バナジウム化合物とモノまたはジアルキル酸エステルとの反応により得られる酸性アルキルリン酸バナジウム塩、アセチルアセトンバナジウム塩等が挙げられる。
【００６９】
このような有機バナジウム化合物の含有量としては、上述したビーズ状ポリマー粉末に対し、例えば、０．０１重量％〜２．０重量％の範囲内であることが好ましい。
【００７０】
（ｄ）その他の成分
アクリリックネイル材料の構成成分である粉末状組成物としては、上述した３成分の他にも必要に応じて、チクソトロピック剤としてのコロイド状シリカ、乳白剤としての酸化チタン、染料、顔料等を添加することができる。
【００７１】
（３）アクリリックネイル材料の構成成分
本発明に用いられるアクリリックネイル材料の構成成分として上記液状組成物および上記粉末状組成物が用いられる場合、上記液状組成物および上記粉末状組成物の含有量としては、所望の粘性を有する程度であれば特に限定されるものではないが、例えば、上記液状組成物および上記粉末状組成物が同量混合されていることが好ましい。
【００７２】
２．ジェルネイル材料の構成成分
本発明に用いられるジェルネイル材料の構成成分としては、紫外線照射によって一定程度に硬化するものであれば特に限定されるものではないが、通常、被膜形成用ポリマー、光重合性モノマー、光重合開始剤、溶剤等が用いられる。
以下、被膜形成用ポリマー、光重合性モノマー、光重合開始剤、溶剤についてそれぞれ分けて説明する。
【００７３】
（１）被膜形成用ポリマー
被膜形成用ポリマーとしては、例えば、ウレタン系ポリマーが挙げられる。ここでのポリマーとは、コポリマーおよびオリゴマーを包含するものである。
【００７４】
ウレタン系ポリマーとしては、例えば、ポリウレタン、ポリウレタン（メタ）アクリレート、ポリウレタン−ポリビニルピロリドン、ポリエステル−ポリウレタン、ポリエーテル−ポリウレタン、ポリ尿素−ポリウレタン等が挙げられる。本発明においては、中でも、紫外線硬化性のある基を有するウレタン系モノマーの重合体、同オリゴマー、あるいは該オリゴマーを含むポリマー等が好ましい。具体的には、ウレタン（メタ）アクリレート系オリゴマー、ポリウレタン（メタ）アクリレート等が挙げられる。
【００７５】
このような被膜形成用ポリマーの含有量としては、本発明のスカルプチュア材料を爪に塗布するのに十分な塗布性を有し、紫外線照射により光硬化して一定程度の硬さを有する導電性人工爪とすることができる程度であれば特に限定されるものではないが、例えば、０．１質量％〜８０質量％程度の範囲内であることが好ましい。
【００７６】
（２）光重合性モノマー
光重合性モノマーとしては、例えば、メチル（メタ）アクリレート、エチル（メタ）アクリレート、２−エチルヘキシル（メタ）アクリレート、２−ヒドロキシエチル（メタ）アクリレート、２−ヒドロキシプロピル（メタ）アクリレート、２−ヒドロキシエチル（メタ）アクリルアミド、エチレングリコールジ（メタ）アクリレート、トリエチレングリコールジ（メタ）アクリレート、テトラエチレングリコールジ（メタ）アクリレート、プロピレングリコールジ（メタ）アクリレート、トリメチロールプロパントリ（メタ）アクリレート、テトラメチロールプロパンテトラ（メタ）アクリレート、ペンタエリトリトールトリ（メタ）アクリレート、ペンタエリトリトールテトラ（メタ）アクリレート、ジペンタエリトリトールペンタ（メタ）アクリレート、ジペンタエリトリトールヘキサ（メタ）アクリレート、１，６−ヘキサンジオールジ（メタ）アクリレート、ベンジル（メタ）アクリレート、カルドエポキシジ（メタ）アクリレート、Ｎ，Ｎ’−メチレンビスアクリルアミド等が挙げられる。
【００７７】
このような光重合性モノマーの含有量としては、本発明のスカルプチュア材料を爪に塗布するのに十分な塗布性を有し、紫外線照射により光硬化して一定程度の硬さを有する導電性人工爪とすることができる程度であれば特に限定されるものではないが、例えば、１質量％〜３０質量％程度の範囲内であることが好ましい。
【００７８】
（３）光重合開始剤
光重合開始剤としては、例えば、１−ヒドロキシシクロヘキシルフェニルケトン；ベンゾフェノン、４，４’−ビス（ジメチルアミノ）ベンゾフェノン、３，３−ジメチル−４−メトキシ−ベンゾフェノン等のベンゾフェノン誘導体；アントラキノン、２−メチルアントラキノン、２−エチルアントラキノン、ｔｅｒｔ−ブチルアントラキノン等のアントラキノン誘導体；ベンゾイン、ベンゾインメチルエーテル、ベンゾインエチルエーテル、ベンゾインプロピルエーテル等のベンゾインアルキルエーテル誘導体；アセトフェノン、２，２−ジメトキシ−２−フェニルアセトフェノン、２，２−ジエトキシアセトフェノン等のアセトフェノン誘導体；２−クロロチオキサントン、ジエチルチオキサントン、イソプロピルチオキサントン、ジイソプロピルチオキサントン等のチオキサントン誘導体；アセトフェノン、２，２−ジメトキシ−２−フェニルアセトフェノン、２−ヒドロキシ−２−メチルプロピオフェノン、４’−イソプロピル−２−ヒドロキシ−２−メチルプロピオフェノン、２−メチル−１−〔４−（メチルチオ）フェニル〕−２−モルホリノ−１−プロパン等のアセトフェノン誘導体；ミヒラーズケトン、２，４，６−（トリハロメチル）トリアジン、２−（ｏ−クロロフェニル）−４，５−ジフェニルイミダゾリル二量体、９−フェニルアクリジン、１，７−ビス（９−アクリジニル）ヘプタン、１，５−ビス（９−アクリジニル）ペンタン、１，３−ビス（９−アクリジニル）プロノパン、ジメチルベンジルケタール、トリメチルベンゾイルジフェニルホスフィンオキシド、トリブロモメチルフェニルスルホン、２−ベンジル−２−ジメチルアミノ−１−（４−モルホリノフェニル）−ブタン−１−オン等が挙げられる。
【００７９】
このような光重合開始剤の含有量としては、本発明のスカルプチュア材料を爪に塗布するのに十分な塗布性を有し、紫外線照射により光硬化して一定程度の硬さを有する人工爪とすることができる程度であれば特に限定されるものではないが、例えば、０．００１質量％〜１０質量％程度の範囲内であることが好ましい。
【００８０】
（４）溶剤
溶剤としては、例えば、エチレングリコールモノメチルエーテル、エチレングリコールモノブチルエーテル、プロピレングリコールモノメチルエーテル、ジエチレングリコールモノエチルエーテル、ジプロピレングリコールモノメチルエーテル等のエーテル系溶剤およびこれらのアセテート系溶剤、酢酸メチル、酢酸ブチル等のエステル系溶剤、メチルエチルケトン、メチルイソブチルケトン、シクロヘキサノン等のケトン系溶剤等が挙げられる。
【００８１】
このような溶剤の含有量としては、本発明のスカルプチュア材料を爪に塗布するのに十分な塗布性を有し、紫外線照射により光硬化して一定程度の硬さを有する人工爪とすることができる程度であれば特に限定されるものではないが、例えば、１質量％〜６０質量％程度の範囲内であることが好ましい。
【００８２】
（５）その他の成分
ジェルネイルの構成成分としては、上述した被膜形成用ポリマー、光重合性モノマー、光重合開始剤、溶剤以外にも必要に応じてその他の成分を添加することができる。
その他の成分としては、例えば、消泡剤、緩衝剤、キレート化剤、分散剤、染料、充填剤、顔料、防腐剤、樹脂粉末（ポリ（メタ）アクリル酸等）、増粘剤、湿潤剤等が挙げられる。
【００８３】
ＩＩ．スカルプチュア材料の使用方法
本発明のスカルプチュア材料の使用方法について説明する。
本発明においては、本発明のスカルプチュア材料を用いて導電性人工爪を形成することで、上記導電性人工爪を静電容量方式のタッチパネルの表面に接近、もしくは接触させた際に、上記導電性人工爪を介して、上記静電容量方式のタッチパネルにおける接近、もしくは接触位置と人体とを電気的に接続することができ、上記導電性人工爪による静電容量方式のタッチパネルの操作が可能となる。
上記効果を得るためには、まず上記スカルプチュア材料が人体と接触するように、爪表面に導電性人工爪を形成する必要があり、さらに上記静電容量方式のタッチパネルを操作する際に接近、もしくは接触する爪先が、本発明のスカルプチュア材料を用いて形成された導電性人工爪である必要がある。
ここで、本発明における人体とは、静電的な導電性を有する部位、すなわち静電容量方式のタッチパネルを操作する際にグラウンドと仮定することができる部位を指し、例えば、甘皮や爪際の皮膚等を指す。また、上記甘皮とは、爪半月を保護するための皮膚であり、また上記爪半月とは、爪の生え際にあって、爪を作り出す部分である。
【００８４】
また、本発明のスカルプチュア材料を用いて導電性人工爪を形成する際には、上記導電性人工爪において、人体に接触する部分と、上記静電容量方式のタッチパネルに接近、もしくは接触する爪先部分とが、それぞれ導通している必要がある。上記導電性人工爪の人体に接触する部分と、上記ネイルチップの爪先部分とを導通させる方法としては、例えば、上記導電性人工爪において、人体に接触する部分と、上記ネイルチップの爪先部分とを一続きになるように形成する方法が挙げられる。
以下、人体と接触するように上記導電性人工爪を形成する方法と、静電容量方式のタッチパネルと接近、もしくは接触する爪先領域に上記導電性人工爪を形成する方法とに分けて詳しく説明する。
【００８５】
Ａ．人体と接触するように形成する方法
本発明のスカルプチュア材料が人体と接触するように、爪表面に導電性人工爪を形成する方法について、図を参照しながら説明する。
【００８６】
図９（ａ）は、本発明のスカルプチュア材料を用いて爪表面に形成された導電性人工爪の一例を示す概略図である。図９（ｂ）は、図９（ａ）のＡ−Ａ線断面図であり、図９（ｃ）は図９（ａ）のＢ−Ｂ線断面図である。
図９（ａ）に示すように、本発明のスカルプチュア材料を用いて形成された導電性人工爪２０は、爪７の表面に形成されるものである。
【００８７】
本発明において、上記導電性人工爪と人体とが接触しているとは、上記スカルプチュア材料を用いて爪表面に導電性人工爪を形成した際に、上記導電性人工爪が爪の周囲の皮膚に少なくとも一か所が触れていることを指す。
例えば、図９（ａ）、（ｂ）の点線で囲った領域に示すように、上記導電性人工爪２０が、指１００における甘皮８に接触するように形成されていてもよく、図９（ｂ）に示すように、上記導電性人工爪２０が、爪７の裏面であって、爪７と皮膚との境目にある爪裏の皮膚１２に接触するように形成されていてもよく、あるいは、図９（ｃ）に示すように、上記導電性人工爪２０が、爪７の長さ方向に平行する爪７と皮膚との境目にある爪際の皮膚１３に接触するように形成されていてもよい。
【００８８】
このように、上記導電性人工爪と人体とが接触するように本発明のスカルプチュア材料を爪表面に塗布する際、上記スカルプチュア材料（導電性人工爪）と人体、すなわち甘皮や爪際の皮膚等とが接触する面積としては、静電容量方式のタッチパネルに上記導電性人工爪の爪先が接近、もしくは接触することで、上記静電容量方式のタッチパネルと人体とが上記導電性人工爪を介して電気的に接続され、上記静電容量方式のタッチパネルを操作することが可能であれば特に限定されるものではない。例えば、上記導電性人工爪と人体とが、３０ｍｍ２程度の接触面積を有していることが好ましい。上記導電性人工爪と人体との接触面積が上述した大きさであることにより、上記導電性人工爪が静電容量方式のタッチパネルに接近、もしくは接触した際に、上記導電性人工爪を介して人体と静電容量方式のタッチパネルとが電気的に接続された状態となり、十分な反応がみられるからである。
なお、ここでの接触面積とは、甘皮や爪際の皮膚等と上記導電性人工爪とが接触している全面積を指す。
【００８９】
Ｂ．静電容量方式のタッチパネルを操作する爪先部分に形成する方法
本発明のスカルプチュア材料を用いて、静電容量方式のタッチパネルを操作する爪先部分に導電性人工爪を形成する方法について、図を参照しながら説明する。
【００９０】
図１０は、本発明のスカルプチュア材料を用いて爪表面に形成された導電性人工爪の他の例を示す概略断面図である。
図１０に示すように、本発明のスカルプチュア材料を用いて形成された導電性人工爪２０は、爪７の表面に形成されるものである。
【００９１】
本発明において、静電容量方式のタッチパネルを操作する先部分に本発明のスカルプチュア材料を用いて導電性人工爪を形成するとは、例えば、図１０（ａ）に示すように、本発明のスカルプチュア材料を用いて形成された上記導電性人工爪２０が、爪７の先端部分まで形成されていてもよいし、あるいは図１０（ｂ）に示すように、上記導電性人工爪２０が、爪７の先端部分から裏面にかけて形成されていてもよい。本発明においては、爪の先端部分から裏面にかけて上記導電性人工爪が形成されていることが好ましい。導電性を有する上記導電性人工爪が形成された爪先部分が静電容量方式のタッチパネルに接近、もしくは接触した時、上記導電性人工爪の爪先と上記静電容量方式のタッチパネルの表面との間に静電容量が発生し、その静電容量の変化によって接触位置が検知されるのだが、この時に発生する静電容量は、接触面積に比例する。そのため、上記静電容量方式のタッチパネルに接近、もしくは接触する爪先端領域において、より広い領域に上記導電性人工爪が形成されていることが好ましいからである。
また、図８に示すようにネイルチップ１１を爪７の先に設け、その表面を覆うように本発明のスカルプチュア材料を塗布して上記導電性人工爪２０を形成する場合には、図示はしないが、爪の裏面にかけて本発明のスカルプチュア材料が塗布されていることが好ましい。
なお、爪の裏面にまでスカルプチュア材料を塗布し、人工爪を形成する行為は元々行われており、形成した人工爪を剥がれにくくする効果を有する。
図１０において説明していない符号については、図９と同様とすることができるので省略する。
【００９２】
Ｃ．その他の構成
本発明のスカルプチュア材料を用いて導電性人工爪を形成する方法としては、上述したように、上記導電性人工爪と人体とが接触し、かつ静電容量方式のタッチパネルを操作する際に接する爪の先端部分に上記導電性人工爪が形成されていれば特に限定されるものではなく、その他の構成として、例えば、上記導電性人工爪を形成した上から市販のマニキュア等の装飾を行ってもよい。この場合について図を用いて説明する。
【００９３】
図１１は、本発明のスカルプチュア材料を用いて爪表面に導電性人工爪を形成し、上記導電性人工爪の表面にマニキュアの装飾を施した爪を示す概略図である。図１１（ｂ）は、図１１（ａ）中の点線Ａで囲った領域の拡大概略図であり、図１１（ｃ）は、図１１（ａ）中の点線Ｂで囲った領域の拡大概略図である。
図１１（ａ）に示すように、爪７表面に導電性を有する導電性人工爪２０を形成する際、上述したように、上記導電性人工爪２０と人体（ここでは甘皮８）とが接触しており（点線Ａ領域）、かつ静電容量方式のタッチパネルに接する爪先部分にまで上記導電性人工爪２０が形成されていれば特に限定されるものではなく（点線Ｂ領域）、上記導電性人工爪２０の表面に市販のマニキュア１４等が施されていてもよい。
そのため、図１１（ｂ）に示すように、マニキュア１４は人体（ここでは甘皮８）と接触していなくてもよく、また、図示はしないが、マニキュアが人体と接触していてもよい。
一方、静電容量方式のタッチパネルを操作する際に上記静電容量方式のタッチパネルと接近、もしくは接触する爪の先端部分としては、図１１（ｃ）に示すように、爪先端領域Ｂ１で静電容量方式のタッチパネルを操作する際には、上記爪先端領域Ｂ１の最表面が導電性を有する上記導電性人工爪２０であることが好ましい。すなわち、この場合には、マニキュア１４が爪先端領域Ｂ１に施されていないことが好ましい。
さらに、静電容量方式のタッチパネルを爪裏領域Ｂ２で操作する際には、上記爪裏領域Ｂ２の最表面が導電性を有する上記導電性人工爪２０であることが好ましい。すなわち、この場合には、マニキュア１４が爪裏領域Ｂ２に施されていないことが好ましい。
なお、ここでのマニキュア液とは、ベースコート用マニキュア液、ネイルカラー用マニキュア液、トップコート用マニキュア液を包含するものである。
【００９４】
上述したように、本発明においては、静電容量方式のタッチパネルを操作する際に接近、もしくは接触する爪先部分と、人体とが導電性を有する上記導電性人工爪を介して電気的に接続されていればよい。上記導電性人工爪は、人体と接触していることによりグラウンド電位となるため、上記導電性人工爪の爪先が上記静電容量方式のタッチパネルに接近、もしくは接触した時に、対応する電極の静電容量が変化することとなる。上記静電容量方式のタッチパネルは、静電容量の変化によって、爪先が接近、もしくは接触した領域を認識することができ、指が接近、もしくは接触した時と同様の動作をすることが可能となる。
【００９５】
Ｄ．人工爪の除去方法
本発明のスカルプチュア材料を用いて爪表面に形成された導電性人工爪の除去方法としては、一般的な方法を用いることができる。例えば、重合反応により硬化するアクリリックネイルでは、爪表面に形成されたアクリリックネイルにアセトンを浸みこませて除去する。また、紫外線照射により硬化するジェルネイルでは、爪表面に形成されたジェルネイルを専用のやすり等の道具を用いて削って除去する。なお、このような除去方法は、爪表面に形成された導電性人工爪の厚み等によって適宜調整されるものである。
【００９６】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００９７】
以下に実施例を示し、本発明をさらに詳細に説明する。
【００９８】
[実施例１]
（スカルプチュア材料の調製）
市販のアクリリックネイルに、導電性材料としてＡｇ金属粉末を３６重量％添加して、スカルプチュア材料とした。
【００９９】
（導電性人工爪の形成）
上記スカルプチュア材料を用いて、爪表面に導電性人工爪を形成した。その際、人体と上記導電性人工爪との接触面積が３０ｍｍ２程度となるようにして、上記導電性人工爪が静電容量方式のタッチパネルに接近または接触したときに、上記導電性人工爪を介して静電容量方式のタッチパネルと人体とが電気的に接続されるような状態とした。
【０１００】
（抵抗値の測定）
上記導電性人工爪の抵抗値を、４端子測定方式ＬＣＲメータ  ロレスタＧＰ ＭＣＰ−Ｔ６1０型（株式会社  三菱化学アナリテック）を用いて測定した。
上記導電性人工爪に対し、上記装置の接触端子（プローブ）４本を接触させ、抵抗値を確認した。
【０１０１】
（静電容量方式のタッチパネルの操作性の確認）
次に、上記導電性人工爪が、静電容量方式のタッチパネルを操作することができる程度の導電性を有するか否かについての確認を行った。
投影型静電容量タッチパネルセンサー評価用キット（シナプティクス社）を用いて、上記導電性人工爪が静電容量方式のタッチパネルに接近、もしくは接触した時の信号レベルを評価し、上記導電性人工爪が上記静電容量方式のタッチパネルの接触認識水準を満たすかどうかを判定した。上記導電性人工爪と静電容量方式のタッチパネルとの接触面積は、８ｍｍφの円形領域程度であった。なお、今回用いた静電容量方式のタッチパネルは、動作するのに１ｐｆ弱の容量形成が必要であった。
【０１０２】
[実施例２]
導電性材料としてＩＴＯ粉末を、市販のアクリリックネイルに対して２０重量％を添加したこと以外は、実施例１と同様にしてスカルプチュア材料を調製し、実施例１と同様の評価を行った。
【０１０３】
[実施例３]
スカルプチュア材料として市販のジェルネイルを使用したこと以外は、実施例１と同様にしてスカルプチュア材料を調製し、実施例１と同様の評価を行った。
【０１０４】
[実施例４]
導電性材料としてＩＴＯ粉末を、市販のジェルネイルに対して２０重量％を添加したこと以外は、実施例１と同様にしてスカルプチュア材料を調製し、実施例１と同様の評価を行った。
【０１０５】
[比較例]
スカルプチュア材料が導電性材料を有さないこと以外は実施例１と同様にしてスカルプチュア材料を調製し、実施例１と同様の評価を行った。
【０１０６】
［評価結果］
本発明のスカルプチュア材料を用いて形成した導電性人工爪の抵抗値が２．１０×１０２Ω以下である場合に、上記導電性人工爪による静電容量方式のタッチパネルの操作が可能であることを確認した。
導電性材料の含有量に基づく実施例１〜４および比較例の抵抗値、最大検出反応値および判定結果を、表１に示す。
また、最大検出反応値の測定結果を図１２に示す。
なお、静電容量方式のタッチパネルが反応する程度の最大検出反応値を示す場合には判定結果を「○」とし、最大検出反応値がそれに満たない場合には判定結果を「×」とした。
【０１０７】
【表１】
0006035809.tif 000002
【符号の説明】
【０１０８】
１      …    静電容量方式のタッチパネル
２      …    透明基板
３      …    透明電極層
３１、３２…  第１透明電極層、第２透明電極層
３１Ｘ、３２Ｙ  …透明電極
４      …    保護カバー
５Ｘ、５Ｙ…  Ｘ座標検出用導電部、Ｙ座標検出用導電部
６      …    透明導電膜
６１    …    電極
７      …    爪
８      …    甘皮
９      …    ネイルファーム
１０    …    スカルプチュア材料
１１    …    ネイルチップ
１２    …    爪裏の皮膚
１３    …    爪際の皮膚
１４    …    マニキュア
２０    …    導電性人工爪
１００  …    指
【図１】
0006035809.tif 000003
【図２】
0006035809.tif 000004
【図３】
0006035809.tif 000005
【図４】
0006035809.tif 000006
【図５】
0006035809.tif 000007
【図６】
0006035809.tif 000008
【図７】
0006035809.tif 000009
【図８】
0006035809.tif 000010
【図９】
0006035809.tif 000011
【図１０】
0006035809.tif 000012
【図１１】
0006035809.tif 000013
【図１２】
0006035809.tif 000014